(57)【特許請求の範囲】
【請求項１】
炉体を含み、前記炉体の中には燃焼空間が設置され、前記燃焼空間の後側を開けることができ、前記燃焼空間の中には多重加熱管が固定的に設置され、前記多重加熱管は屈曲設計であり、水の加熱面積を増加し、前記多重加熱管の左側と右側とはいずれもスチームヒーターと連通し、前記燃焼空間の底部には揺れ動き板がスライド可能に設置され、前記揺れ動き板には縦棒が固定的に設置され、前記縦棒は燃え殻を排出する時に揺れ動くことで燃え殻の排出に便利を与え、前記燃焼空間の底部において右側に近接するところにはファンが回転可能に設置され、前記ファンは前記燃焼空間の中に風を吹くことができ、前記燃焼空間の頂部には排気空間が設置され、前記燃焼空間の頂部と前記排気空間の左側とは連通し、前記排気空間の中には二つの中空ボールが固定的に設置され、前記中空ボールは熱伝導材料によって作られ、前記炉体の頂面には固定箱が固定的に設置され、前記固定箱の中には水空間が設置され、前記固定箱の左側にはソーラーヒーターが設置され、前記ソーラーヒーターと前記水空間とは連通し、前記ソーラーヒーターはソーラーエネルギーを吸収でき、そして前記固定箱の中の水を加熱し、前記排気空間の底壁にはファン羽根回転輪が回転可能に設置され、前記ファン羽根回転輪は前記ファンの回転に動力を提供できることを特徴とする農村住宅用の省エネ暖房器具。
【請求項２】
前記揺れ動き板の左側と前記炉体の間にはばねが装着され、前記揺れ動き板の頂部にはセクタ歯車が回転可能に設置され、前記セクタ歯車と前記揺れ動き板とは噛み合い、且つ前記セクタ歯車の前側が前記炉体の外部まで延在し、前記燃焼空間の底部には妨害板がスライド可能に設置され、前記妨害板は前記燃焼空間の底部を閉鎖し、手動で前記セクタ歯車を回転させることで前記セクタ歯車は前記揺れ動き板を駆動して揺れ動かせることを特徴とする請求項１に記載の農村住宅用の省エネ暖房器具。
【請求項３】
前記ファンの右側にはスライド空間が設置され、前記ファンの右側には第一傘歯車が固定的に設置され、前記スライド空間の中にはスライダがスライド可能に設置され、前記スライダの中にはスプラインスリーブが回転可能に設置され、前記スプラインスリーブの底端には第二傘歯車が固定的に設置され、前記第二傘歯車が前記第一傘歯車と噛み合うことができ、前記スライダの右側には従動歯車が回転可能に設置され、前記従動歯車と前記スライダとは噛み合い、前記スライド空間の頂壁の中には伝動軸が回転可能に設置され、前記伝動軸の頂端には第三傘歯車が固定的に設置され、前記第三傘歯車と前記ファン羽根回転輪とは噛み合い、前記伝動軸の底部延伸部分は前記スプラインスリーブとスプラインにより連結されていることを特徴とする請求項２に記載の農村住宅用の省エネ暖房器具。
【請求項４】
前記ファン羽根回転輪の右側には矩形空間が設置され、前記矩形空間の左側壁の中には開閉モータが固定的に嵌め込まれ、前記開閉モータの右側には横軸が伝動可能に連結され、前記横軸の外円周には動力歯車が固定的に設置され、前記矩形空間の中には伝動歯車が回転可能に設置され、前記伝動歯車と前記動力歯車とは噛み合い、前記伝動歯車の後側と前記従動歯車の後側とはベルトにより連結され、前記固定箱の右側には縦管が固定的に設置され、前記縦管と前記水空間とは連通し、前記縦管のもう一端と前記スチームヒーターとは連通し、前記縦管の中には回転円ブロックが回転可能に設置され、前記回転円ブロックには貫通穴が設置され、前記回転円ブロックの左側が前記横軸の右端と固定されていることを特徴とする請求項３に記載の農村住宅用の省エネ暖房器具。
【請求項５】
前記水空間の左側には回転盤型弁が回転可能に設置され、前記回転盤型弁の中にはＬ型管路が設置され、前記炉体の左側には入水管が固定的に設置され、前記入水管は前記水空間または前記多重加熱管と連通することができることを特徴とする請求項４に記載の農村住宅用の省エネ暖房器具。
【発明の詳細な説明】
【技術分野】
【０００１】
本願発明は暖房技術分野を取り上げて、具体的には農村住宅用の省エネ暖房器具である。
【背景技術】
【０００２】
現在、農村では基本的に暖房装置やエアコンによって部屋を暖房し、また、農村において暖房の応用は幅広く、従来は石炭を燃やすことで暖房するが、加熱効率が低く、効果が理想的ではなく、同時に石炭の使用は大量のエネルギーを消耗する。従って、ソーラーエネルギーと石炭とで加熱する暖房器具を設計する必要がある。
【先行技術文献】
【特許文献】
【０００３】
【特許文献１】中国特許出願公開第１０６７０５０９３号明細書
【発明の概要】
【発明が解決しようとする課題】
【０００４】
本発明は農村住宅用の省エネ暖房器具を提供し、従来技術における上記欠点を解消することを目的とする。
【課題を解決するための手段】
【０００５】
本願発明の農村住宅用の省エネ暖房器具は、炉体を含み、前記炉体の中には燃焼空間が設置され、前記燃焼空間の後側を開けることができ、前記燃焼空間の中には多重加熱管が固定的に設置され、前記多重加熱管は屈曲設計であり、水の加熱面積を増加し、前記多重加熱管の左側と右側とはいずれもスチームヒーターと連通し、前記燃焼空間の底部には揺れ動き板がスライド可能に設置され、前記揺れ動き板には縦棒が固定的に設置され、前記縦棒は燃え殻を排出する時に揺れ動くことで燃え殻の排出に便利を与え、前記燃焼空間の底部において右側に近接するところにはファンが回転可能に設置され、前記ファンは前記燃焼空間の中に風を吹くことができ、前記燃焼空間の頂部には排気空間が設置され、前記燃焼空間の頂部と前記排気空間の左側とは連通し、前記排気空間の中には二つの中空ボールが固定的に設置され、前記中空ボールは熱伝導材料によって作られ、前記炉体の頂面には固定箱が固定的に設置され、前記固定箱の中には水空間が設置され、前記固定箱の左側にはソーラーヒーターが設置され、前記ソーラーヒーターと前記水空間とは連通し、前記ソーラーヒーターはソーラーエネルギーを吸収でき、そして前記固定箱の中の水を加熱し、前記排気空間の底壁にはファン羽根回転輪が回転可能に設置され、前記ファン羽根回転輪は前記ファンの回転に動力を提供できる。
【０００６】
更なる技術プランとしては、前記揺れ動き板の左側と前記炉体の間にはばねが装着され、前記揺れ動き板の頂部にはセクタ歯車が回転可能に設置され、前記セクタ歯車と前記揺れ動き板とは噛み合い、且つ前記セクタ歯車の前側が前記炉体の外部まで延在し、前記燃焼空間の底部には妨害板がスライド可能に設置され、前記妨害板は前記燃焼空間の底部を閉鎖し、手動で前記セクタ歯車を回転させることで前記セクタ歯車は前記揺れ動き板を駆動して揺れ動かせる。
【０００７】
更なる技術プランとしては、前記ファンの右側にはスライド空間が設置され、前記ファンの右側には第一傘歯車が固定的に設置され、前記スライド空間の中にはスライダがスライド可能に設置され、前記スライダの中にはスプラインスリーブが回転可能に設置され、前記スプラインスリーブの底端には第二傘歯車が固定的に設置され、前記第二傘歯車が前記第一傘歯車と噛み合うことができ、前記スライダの右側には従動歯車が回転可能に設置され、前記従動歯車と前記スライダとは噛み合い、前記スライド空間の頂壁の中には伝動軸が回転可能に設置され、前記伝動軸の頂端には第三傘歯車が固定的に設置され、前記第三傘歯車と前記ファン羽根回転輪とは噛み合い、前記伝動軸の底部延伸部分は前記スプラインスリーブとスプラインにより連結されている。
【０００８】
更なる技術プランとしては、前記ファン羽根回転輪の右側には矩形空間が設置され、前記矩形空間の左側壁の中には開閉モータが固定的に嵌め込まれ、前記開閉モータの右側には横軸が伝動可能に連結され、前記横軸の外円周には動力歯車が固定的に設置され、前記矩形空間の中には伝動歯車が回転可能に設置され、前記伝動歯車と前記動力歯車とは噛み合い、前記伝動歯車の後側と前記従動歯車の後側とはベルトにより連結され、前記固定箱の右側には縦管が固定的に設置され、前記縦管と前記水空間とは連通し、前記縦管のもう一端と前記スチームヒーターとは連通し、前記縦管の中には回転円ブロックが回転可能に設置され、前記回転円ブロックには貫通穴が設置され、前記回転円ブロックの左側が前記横軸の右端と固定されている。
【０００９】
更なる技術プランとしては、前記水空間の左側には回転盤型弁が回転可能に設置され、前記回転盤型弁の中にはＬ型管路が設置され、前記炉体の左側には入水管が固定的に設置され、前記入水管は前記水空間または前記多重加熱管と連通することができる。
【発明の効果】
【００１０】
本願発明の有益効果は：本願発明は夜に石炭を燃やすことで多重加熱管を加熱して暖房を行い、多重加熱管は屈曲設計であるため、加熱効率がより高く、スモックによりファンは駆動されて風を吹くことができ、石炭を十分に燃焼させ、また、昼間にソーラーヒーターで水源を加熱して暖房を行い、石炭への頼りを減らし、エネルギーを節約し、コストを抑え、その他、本願発明は構造が簡単で、操作が便利で、伝動が安定であり、普及する価値がある。
【図面の簡単な説明】
【００１１】
下記に図１〜４をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１２】
【図１】図１は本願発明の内部の全体構成模式図
【図２】図２は本願発明のスチームヒーターの模式図
【図３】図３は本願発明のベルトの模式図
【図４】図４は図１におけるＡの局部拡大模式図
【発明を実施するための形態】
【００１３】
図１〜４を参照し、本願発明の農村住宅用の省エネ暖房器具は、炉体１０を含み、前記炉体１０の中には燃焼空間３４が設置され、前記燃焼空間３４の後側を開けることができ、前記燃焼空間３４の中には多重加熱管３５が固定的に設置され、前記多重加熱管３５は屈曲設計であり、水の加熱面積を増加し、前記多重加熱管３５の左側と右側とはいずれもスチームヒーター４６と連通し、前記燃焼空間３４の底部には揺れ動き板３２がスライド可能に設置され、前記揺れ動き板３２には縦棒３３が固定的に設置され、前記縦棒３３は燃え殻を排出する時に揺れ動くことで燃え殻の排出に便利を与え、前記燃焼空間３４の底部において右側に近接するところにはファン２７が回転可能に設置され、前記ファン２７は前記燃焼空間３４の中に風を吹くことができ、前記燃焼空間３４の頂部には排気空間４５が設置され、前記燃焼空間３４の頂部と前記排気空間４５の左側とは連通し、前記排気空間４５の中には二つの中空ボール３６が固定的に設置され、前記中空ボール３６は熱伝導材料によって作られ、前記炉体１０の頂面には固定箱４７が固定的に設置され、前記固定箱４７の中には水空間１５が設置され、前記固定箱４７の左側にはソーラーヒーター１４が設置され、前記ソーラーヒーター１４と前記水空間１５とは連通し、前記ソーラーヒーター１４はソーラーエネルギーを吸収でき、そして前記固定箱４７の中の水を加熱し、前記排気空間４５の底壁にはファン羽根回転輪３８が回転可能に設置され、前記ファン羽根回転輪３８は前記ファン２７の回転に動力を提供できる。
【００１４】
有益なまた例を示すように、前記揺れ動き板３２の左側と前記炉体１０の間にはばね３１が装着され、前記揺れ動き板３２の頂部にはセクタ歯車３０が回転可能に設置され、前記セクタ歯車３０と前記揺れ動き板３２とは噛み合い、且つ前記セクタ歯車３０の前側が前記炉体１０の外部まで延在し、前記燃焼空間３４の底部には妨害板２８がスライド可能に設置され、前記妨害板２８は前記燃焼空間３４の底部を閉鎖し、手動で前記セクタ歯車３０を回転させることで前記セクタ歯車３０は前記揺れ動き板３２を駆動して揺れ動かせ、さらに前記縦棒３３は燃え殻を押して排出する。
【００１５】
有益なまた例を示すように、前記ファン２７の右側にはスライド空間２６が設置され、前記ファン２７の右側には第一傘歯車２５が固定的に設置され、前記スライド空間２６の中にはスライダ２２がスライド可能に設置され、前記スライダ２２の中にはスプラインスリーブ２４が回転可能に設置され、前記スプラインスリーブ２４の底端には第二傘歯車２３が固定的に設置され、前記第二傘歯車２３が前記第一傘歯車２５と噛み合うことができ、前記スライダ２２の右側には従動歯車２１が回転可能に設置され、前記従動歯車２１と前記スライダ２２とは噛み合い、前記スライド空間２６の頂壁の中には伝動軸４０が回転可能に設置され、前記伝動軸４０の頂端には第三傘歯車３９が固定的に設置され、前記第三傘歯車３９と前記ファン羽根回転輪３８とは噛み合い、前記伝動軸４０の底部延伸部分は前記スプラインスリーブ２４とスプラインにより連結され、
前記ファン羽根回転輪３８の回転で前記伝動軸４０は前記ファン２７を駆動して回転させ、空気は外部から前記燃焼空間３４の中に入り、石炭を十分に燃焼させる。
【００１６】
有益なまた例を示すように、前記ファン羽根回転輪３８の右側には矩形空間６０が設置され、前記矩形空間６０の左側壁の中には開閉モータ４１が固定的に嵌め込まれ、前記開閉モータ４１の右側には横軸４４が伝動可能に連結され、前記横軸４４の外円周には動力歯車４３が固定的に設置され、前記矩形空間６０の中には伝動歯車４２が回転可能に設置され、前記伝動歯車４２と前記動力歯車４３とは噛み合い、前記伝動歯車４２の後側と前記従動歯車２１の後側とはベルト３７により連結され、前記固定箱４７の右側には縦管１８が固定的に設置され、前記縦管１８と前記水空間１５とは連通し、前記縦管１８のもう一端と前記スチームヒーター４６とは連通し、前記縦管１８の中には回転円ブロック２０が回転可能に設置され、前記回転円ブロック２０には貫通穴１９が設置され、前記回転円ブロック２０の左側が前記横軸４４の右端と固定され、
前記横軸横軸４４の回転で前記貫通穴１９は回転でき、さらに前記水空間１５と前記スチームヒーター４６とを連通させる。
【００１７】
有益なまた例を示すように、前記水空間１５の左側には回転盤型弁１２が回転可能に設置され、前記回転盤型弁１２の中にはＬ型管路１３が設置され、前記炉体１０の左側には入水管１１が固定的に設置され、前記入水管１１は前記水空間１５または前記多重加熱管３５と連通することができ、
前記回転盤型弁１２の回転で前記入水管１１は前記Ｌ型管路１３または前記多重加熱管３５と連通することができる。
【００１８】
使用時、まず入水管１１の中に水を注ぎ、水が水空間１５の中に入り、そして手動で回転盤型弁１２を制御して回転させることで、Ｌ型管路１３は入水管１１と多重加熱管３５とを連通させ、多重加熱管３５とスチームヒーター４６の中に水を満たし、そして入水管１１を閉じ、燃焼空間３４に石炭を入れ、石炭を燃やし、石炭は多重加熱管３５を加熱し、さらにスチームヒーター４６の中の水を加熱し、同時にスモックは排気空間４５を通った時にファン羽根回転輪３８を駆動して回転させ、ファン羽根回転輪３８は伝動軸４０を駆動して回転させ、さらにスプラインスリーブ２４を回転させ、スプラインスリーブ２４は第二傘歯車２３を駆動して回転させ、第一傘歯車２５はファン２７を駆動して回転させ、そして燃焼空間３４の中に風を吹き、石炭を十分に燃焼させ、天気の良い昼間の時、開閉モータ４１を作動させ、横軸４４を回転させ、縦管１８は水空間１５とスチームヒーター４６とを連通させ、動力歯車４３は伝動歯車４２を駆動して回転させ、さらに従動歯車２１を回転させ、さらにスライダ２２を上昇させ、第二傘歯車２３は第一傘歯車２５との噛み合い状態から離脱し、燃焼空間３４の中に入れた石炭の数を減らし、ソーラーヒーター１４はソーラーエネルギーを吸収し、そして水空間１５の中の水を加熱して暖房を行う。
【００１９】
本願発明の有益効果は：本願発明は夜に石炭を燃やすことで多重加熱管を加熱して暖房を行い、多重加熱管は屈曲設計であるため、加熱効率がより高く、スモックによりファンは駆動されて風を吹くことができ、石炭を十分に燃焼させ、また、昼間にソーラーヒーターで水源を加熱して暖房を行い、石炭への頼りを減らし、エネルギーを節約し、コストを抑え、その他、本願発明は構造が簡単で、操作が便利で、伝動が安定であり、普及する価値がある。
【００２０】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。
【要約】
【課題】本願発明は農村住宅用の省エネ暖房器具を開示した。
【解決手段】
炉体を含み、前記炉体の中には燃焼空間が設置され、前記燃焼空間の後側を開けることができ、前記燃焼空間の中には多重加熱管が固定的に設置され、前記多重加熱管は屈曲設計であり、水の加熱面積を増加し、前記多重加熱管の左側と右側とはいずれもスチームヒーターと連通し、本願発明は夜に石炭を燃やすことで多重加熱管を加熱して暖房を行い、多重加熱管は屈曲設計であるため、加熱効率がより高く、スモックによりファンは駆動されて風を吹くことができ、石炭を十分に燃焼させ、また、昼間にソーラーヒーターで水源を加熱して暖房を行い、石炭への頼りを減らし、エネルギーを節約できる。
【選択図】図１【図１】
0006808127.tif 000002
【図２】
0006808127.tif 000003
【図３】
0006808127.tif 000004
【図４】
0006808127.tif 000005